(57)【要約】  方法および装置は、選択されたダウンリンク タイムスロットのみをアップリンク状態フラグ（uplink status flag, USF）に対して監視することによって、ＤＴＭにおいて生じるＧＳＭ標準の矛盾および曖昧性を解決する。パケットデータチャネル（packet data channel, PDCH）のダウンリンク タイムスロットは、最も小さい番号のタイムスロットＢ（０）から最も大きいタイムスロットＢ（ＭＡＸ）まで、ＵＳＦに対して監視され、２番目に小さい送信アップリンク タイムスロット、Ｂ（ｘ）＋１が、回線交換されるタイムスロットであるときは、Ｂ（ＭＡＸ）は、対応するＴＤＭＡフレーム内の最も小さい送信アップリンク タイムスロット、Ｂ（ｘ）に等しく、そうでないときは、Ｂ（ＭＡＸ）は、対応するＴＤＭＡフレーム内の２番目に小さい送信タイムスロット、Ｂ（ｘ）＋１に等しい。【選択図】    図２
2008533852.tif 000002
【特許請求の範囲】
【請求項１】
通信システムにおいてアップリンク状態フラグ(uplink status flag, USF)を管理する方法であって、
パケット データ チャネル(packet data channel, PDCH)のダウンリンク タイムスロットを、ダウンリンク時分割多元接続（time division multiple access, TDMA）フレーム内で番号を付けられた第１のダウンリンク タイムスロットから最も大きい番号のダウンリンク タイムスロットまで、ＵＳＦに対して監視することを含み、２番目に小さい番号のアップリンク タイムスロットが、回線交換されるタイムスロットであるときは、最も大きい番号のダウンリンク タイムスロットは、対応するアップリンクＴＤＭＡフレーム内の最も小さい番号の送信アップリンク タイムスロットであり、そうでないときは、最も大きい番号のダウンリンク タイムスロットは、最も小さい番号の送信タイムスロットよりも１つ大きいタイムスロットである方法。
【請求項２】
最も小さい番号の送信アップリンク タイムスロットを、アクセス端末が対応するアップリンクＴＤＭＡフレームにおいて送信する最も小さい番号のタイムスロットとして判断することをさらに含む請求項１記載の方法。
【請求項３】
最も小さい番号の送信タイムスロットよりも１つ大きいタイムスロットが、回線交換されるタイムスロットであるかどうかを判断することと、
最も小さい番号の送信タイムスロットよりも１つ大きいタイムスロットが、回線交換されるタイムスロットであるときは、最も大きい番号のダウンリンク タイムスロットを、最も小さい番号の送信アップリンク タイムスロットに対応するタイムスロット番号よりも１つ大きいタイムスロットに等しく設定することと、
最も小さい番号の送信タイムスロットよりも１つ大きいタイムスロットが、回線交換されるタイムスロットでないときは、最も大きい番号のダウンリンク タイムスロットを、最も小さい番号の送信アップリンク タイムスロットに対応する別のタイムスロット番号に等しく設定することとをさらに含む請求項２記載の方法。
【請求項４】
監視することが、
ダウンリンク タイムスロットを監視して、３ＧＰＰ ＴＳ ４４．０６０標準内における矛盾を解決することを含む請求項３記載の方法。
【請求項５】
通信システムにおいてアップリンク状態フラグ(ＵＳＦ)を管理する装置であって、
パケット データ チャネル(ＰＤＣＨ)のダウンリンク タイムスロットを、ダウンリンクの時分割多元接続（ＴＤＭＡ）フレーム内の番号を付けられた第１のダウンリンク タイムスロットから最も大きい番号のダウンリンク タイムスロットまで、ＵＳＦに対して監視するように構成されたＰＤＣＨ ＵＳＦ評価器を含み、２番目に小さい番号のアップリンク タイムスロットが、回線交換されるタイムスロットであるときは、最も大きい番号のダウンリンク タイムスロットは、対応するアップリンクＴＤＭＡフレーム内の最も小さい番号の送信アップリンク タイムスロットであり、そうでないときは、最も大きい番号のダウンリンク タイムスロットは、最も小さい番号の送信タイムスロットよりも１つ大きいタイムスロットである装置。
【請求項６】
最も小さい番号の送信アップリンク タイムスロットを、アクセス端末が対応するアップリンクＴＤＭＡフレームにおいて送信する最も小さい番号の送信アップリンク タイムスロットとして判断するように構成されたアップリンク タイムスロット解析器をさらに含む請求項５記載の装置。
【請求項７】
最も小さい番号の送信タイムスロットよりも１つ大きいタイムスロットが、回線交換されるタイムスロットであるかどうかを判断するように構成された、回線交換されるタイムスロット識別子をさらに含む装置であって、ＰＤＣＨ ＵＳＦ評価器が、さらに、
最も小さい番号の送信タイムスロットよりも１つ大きいタイムスロットが、回線交換されるタイムスロットであるときは、最も大きい番号のダウンリンク タイムスロットを、最も小さい番号の送信アップリンク タイムスロットに対応するタイムスロット番号よりも１つ大きいタイムスロットに等しく設定し、
最も小さい番号の送信タイムスロットよりも１つ大きいタイムスロットが、回線交換されるタイムスロットでないときは、最も大きい番号のダウンリンク タイムスロットを、最も小さい番号の送信アップリンク タイムスロットに対応する別のタイムスロット番号に等しく設定するように構成されている請求項６記載の装置。
【請求項８】
装置が、
ダウンリンク タイムスロットを監視して、３ＧＰＰ ＴＳ ４４．０６０標準内における矛盾を解決する請求項７記載の装置。
【請求項９】
通信システムにおいてアップリンク状態フラグ(ＵＳＦ)を管理するプログラムプロダクトであって、プログラムプロダクトが、
コンピュータ実行可能論理を含み、コンピュータ実行可能論理が、コンピュータ読み出し可能媒体上に含まれ、次に示すコンピュータが実行するステップ、すなわち、
パケット データ チャネル(ＰＤＣＨ)のダウンリンク タイムスロットを、ダウンリンクの時分割多元接続（ＴＤＭＡ）フレーム内で番号を付けられた第１のダウンリンク タイムスロットから最も大きい番号のダウンリンク タイムスロットまで、ＵＳＦに対して監視するステップを行わせるように構成されていて、２番目に小さい番号のアップリンク タイムスロットが、回線交換されるタイムスロットであるときは、最も大きい番号のダウンリンク タイムスロットは、対応するアップリンクＴＤＭＡフレーム内の最も小さい番号の送信アップリンク タイムスロットであり、そうでないときは、最も大きい番号のダウンリンク タイムスロットは、最も小さい番号の送信タイムスロットよりも１つ大きいタイムスロットであるプログラムプロダクト。
【請求項１０】
含まれているコンピュータ実行可能論理が、次に示すコンピュータが実行するステップ、すなわち、
最も小さい番号の送信アップリンク タイムスロットを、アクセス端末が対応するアップリンクＴＤＭＡフレームにおいて送信する最も小さい番号のタイムスロットとして判断するステップを行わせるようにさらに構成されている請求項９記載のプログラムプロダクト。
【請求項１１】
含まれているコンピュータ実行可能論理が、次に示すコンピュータが実行するステップ、すなわち、
最も小さい番号の送信タイムスロットよりも１つ大きいタイムスロットが、回線交換されるタイムスロットであるかどうかを判断するステップと、
最も小さい番号の送信タイムスロットよりも１つ大きいタイムスロットが、回線交換されるタイムスロットであるときは、最も大きい番号のダウンリンク タイムスロットを、最も小さい番号の送信アップリンク タイムスロットに対応するタイムスロット番号よりも１つ大きいタイムスロットに等しく設定するステップと、
最も小さい番号の送信タイムスロットよりも１つ大きいタイムスロットが、回線交換されるタイムスロットでないときは、最も大きい番号のダウンリンク タイムスロットを、最も小さい番号の送信アップリンク タイムスロットに対応する別のタイムスロット番号に等しく設定するステップとを行わせるようにさらに構成されている請求項１０記載のプログラムプロダクト。
【請求項１２】
監視することが、
ダウンリンク タイムスロットを監視して、３ＧＰＰ ＴＳ ４４．０６０標準内における矛盾を解決することを含む請求項１１記載のプログラムプロダクト。
【請求項１３】
通信システムにおいてアップリンク状態フラグ(ＵＳＦ)を管理する装置であって、
パケット データ チャネル(ＰＤＣＨ)のダウンリンク タイムスロットを、ダウンリンクの時分割多元接続（ＴＤＭＡ）のフレーム内の番号を付けられた第１のダウンリンク タイムスロットから最も大きい番号のダウンリンク タイムスロットまで、ＵＳＦに対して監視する監視手段であって、２番目に小さい番号のアップリンク タイムスロットが、回線交換されるタイムスロットであるときは、最も大きい番号のダウンリンク タイムスロットは、対応するアップリンクＴＤＭＡフレーム内の最も小さい番号の送信アップリンク タイムスロットであり、そうでないときは、最も大きい番号のダウンリンク タイムスロットは、最も小さい番号の送信タイムスロットよりも１つ大きいタイムスロットである監視手段と、
最も小さい番号の送信タイムスロットを、アクセス端末が対応するアップリンクＴＤＭＡフレームにおいて送信する最も小さい番号のタイムスロットとして識別する識別手段とを含む装置。
【請求項１４】
最も小さい番号の送信タイムスロットよりも１つ大きいタイムスロットが、回線交換されるタイムスロットであるかどうかを判断する判断手段と、
最も小さい番号の送信タイムスロットよりも１つ大きいタイムスロットが、回線交換されるタイムスロットであるときは、最も大きい番号のダウンリンク タイムスロットを、最も小さい番号の送信アップリンク タイムスロットに対応するタイムスロット番号よりも１つ大きいタイムスロットに等しく設定し、最も小さい番号の送信タイムスロットよりも１つ大きいタイムスロットが、回線交換されるタイムスロットでないときは、最も大きい番号のダウンリンク タイムスロットを、最も小さい番号の送信アップリンク タイムスロットに対応する別のタイムスロット番号に等しく設定する設定手段とをさらに含む請求項１３記載の装置。
【請求項１５】
装置が、ダウンリンク タイムスロットを監視して、３ＧＰＰ ＴＳ ４４．０６０標準内における矛盾を解決することを含む請求項１３記載の装置。
【請求項１６】
移動局にアップリンク資源をアロケートする方法であって、
ダウンリンク タイムスロットをアップリンク状態フラグ(ＵＳＦ)について監視することであって、監視することが、時分割多元接続(ＴＤＭＡ)フレーム内の第１のダウンリンク タイムスロットから最も大きいダウンリンク タイムスロットまで行われることと、
ＵＳＦに基づいて、送信するアップリンク タイムスロットを判断すること、
アップリンク タイムスロット上で送信するデータをスケジューリングすることとを含む方法。
【請求項１７】
最も大きいダウンリンク タイムスロットが、移動局がＴＤＭＡフレーム内で送信することになる最も小さい番号のタイムスロットに基づいて判断される請求項１６記載の方法。
【発明の詳細な説明】
【発明の分野】
【０００１】
米国特許法第１１９条のもとでの優先権の主張
本特許出願は、２００５年３月１０日に出願され、本発明の譲受人に譲渡され、参照によって本明細書に明示的に取り入れられる仮出願第６０／６６０，６０８号（“Method and Apparatus for Monitoring in a Wireless Communications systems”）に対して優先権を主張している。
【０００２】
本発明は、概ね、セルラ通信システム、より具体的には、通信システムにおけるアップリンク資源のアロケーション（allocation）を管理する方法および装置に関する。
【発明の背景】
【０００３】
グローバル システム フォー モバイル コミュニケーション(Global System for Mobile Communications, GSM)セルラ通信システムは、基地局の配置によって、移動および携帯デバイスに通信サービスを与える。ＧＳＭシステムでは、時分割多重化を使用して、タイムスロットのフレームおよび無線ブロック（radio block）が移動局において送受信される。ＧＳＭシステムは、音声サービスのみを提供することから、データサービスも提供することに発展した。さらに、汎用パケット無線サービス(general packet radio service, GPRS)およびエンハンスド データ フォー グローバル エボリューション（Enhanced Data for Global Evolution）のような標準は、ＧＳＭベースのシステム内におけるデータ通信のプロトコルを定義している。アクセス端末は、移動デバイス、携帯デバイス、および他の名前によって呼ばれることもあり、クラスに分類される。クラスは、アクセス端末がアップリンクおよびダウンリンク方向において使用することができる同時のタイムスロット数に少なくとも部分的に基づく。マルチスロット クラスは、フレームの中の多数のタイムスロットを送信／受信および処理できるアクセス端末の能力を表わす。デュアル トランスファー モード(Dual Transfer Mode, DTM)中に、送信および受信されるフレームは、音声呼(または、他の回線交換呼)に関係する情報を含む回線交換呼のタイムスロットと、データに関係する情報を含むデータのタイムスロットとを含む。従来のＧＳＭ ＥＤＧＥ無線アクセスネットワーク(GSM EDGE Radio Access Network, GERAN)システムでは、幾つかのより高いマルチスロットクラス内に分類されたアクセス端末が、フレーム内の多数のタイムスロットを使用して、データおよび音声情報を送信および受信することができる。
【０００４】
アップリンク状態のアップリンク状態フラグ(uplink status flag, USF)は、基地局が、アクセス端末に割り当てられたアップリンク タイムスロットを動的にアロケートする機構を与える。ＵＳＦは、ダウンリンクにおいて送信され、アクセス端末による使用を許可された（authorize）アップリンク タイムスロットを識別する。ダウンリンク タイムスロット内のＵＳＦは、アクセス端末が次のフレーム内の対応するアップリンク タイムスロット上で送信するのを許可されたことを示す。ＧＥＲＡＮ標準、例えば、３ＧＰＰ ＴＳ ４４．０６０、３ＧＰＰ ＴＳ ４５．００２、および３ＧＰＰ ＴＳ ４３．０５５は、ＵＳＦに対して監視されるべきダウンリンク タイムスロットを定義することを試みている。都合の悪いことに、ＧＥＲＡＮ標準は、ＤＴＭおよび高いマルチショットクラス（High Multi-shot Class）が適用される幾つかの状況において曖昧である。
【０００５】
したがって、ＧＳＭ通信システムにおいてアップリンク状態フラグを監視する装置および方法が必要とされている。
【発明の概要】
【０００６】
例示的な実施形態によると、アクセス端末は、グローバル システム フォー モバイル コミュニケーション(Global System for Mobile Communications, GSM)通信システムにおいて、割り当てられたパケット データ チャネル(packet data channel, PDCH)のタイムスロット内のアップリンク状態フラグ(uplink status flag, USF)を、ダウンリンクの時分割多元接続（time division multiple access, TDMA）フレーム内の第１のダウンリンク タイムスロットから最も大きい番号のダウンリンク タイムスロットまで監視することによって、ＵＳＦを管理し、アクセス端末が対応するアップリンク フレーム上で送信する２番目に小さい番号のアップリンク タイムスロットが、回線交換されるタイムスロットであるときは、最も大きい番号のダウンリンク タイムスロットは、アクセス端末が対応するアップリンクＴＤＭＡフレーム内の対応するアップリンク フレーム上で送信する最も小さい番号のアップリンク送信タイムスロットであり、そうでないときは、最も大きい番号のダウンリンク タイムスロットは、アクセス端末が対応するアップリンク フレーム上で送信する最も小さい番号の送信タイムスロットよりも１つ大きいタイムスロットである。
【好ましい実施形態の詳細な説明】
【０００７】
例示的な実施形態によると、無線アクセス端末は、デュアル トランスファー モード(Dual Transfer Mode, DTM)のときに、選択されたアップリンク状態フラグ(uplink status flag, USF)のみを監視することによって、処理資源を効率的に使用する。ＧＳＭ ＥＤＧＥ無線アクセスネットワーク(GSM Edge Radio Access Network, GERAN)標準によって示された曖昧な規則は、割り当てられたパケット データ チャネル（packet data channel, PDCH）をＵＳＦに対して最も大きいアップリンク タイムスロットまで監視することによって解決される。２番目に小さいアップリンク タイムスロットが、回線交換されるタイムスロットであるときは、最も大きいアップリンク タイムスロットは、アクセス端末が対応するアップリンク フレーム上で送信する最も小さい番号のアップリンク タイムスロットに等しく、そうでないときは、最も大きいダウンリンク タイムスロットは、アクセス端末が送信する最も小さい番号のタイムスロットよりも１つ大きいタイムスロットである。したがって、Ｂ（Ｘ）が、最も小さい番号のアップリンク送信タイムスロットであるとき、割り当てられたＰＤＣＨのダウンリンク タイムスロットは、タイムスロットＢ（０）からタイムスロットＢ（ＭＡＸ）まで監視され、２番目に小さい番号のタイムスロット、Ｂ（Ｘ）＋１が、回線交換されるタイムスロットであるときは、Ｂ（ＭＡＸ）＝Ｂ（Ｘ）であり、そうでないときは、Ｂ（ＭＡＸ）＝Ｂ（Ｘ）＋１である。
【０００８】
本明細書に記載されているように、“送信アップリンク タイムスロット”は、アクセス端末が送信するアップリンク タイムスロットである。したがって、送信アップリンク タイムスロットは、アップリンクＴＤＭＡフレーム内のアロケートされ割り当てられた(allocated and assigned)タイムスロットである。別途記載されるように、ＴＤＭＡフレームは、０ないし７の番号を付けられた８個のタイムスロットをもつ。したがって、最も小さい番号の送信アップリンク タイムスロットは、送信に使用されるＴＤＭＡアップリンク フレーム内の第１のタイムスロットである。２番目に小さい番号のアップリンク タイムスロットは、最も小さい番号の送信アップリンク タイムスロットよりも１つ大きいタイムスロットである。２番目に小さい番号のアップリンク タイムスロットは、データまたは音声送信のためにアロケートされ割り当てられた送信タイムスロットか、割り当てられアロケートされていない(assigned and unallocated)送信タイムスロットか、または割り当てられていない送信タイムスロットであり得る。したがって、２番目に小さいアップリンク タイムスロットは、幾つかの場合において、回線交換されるタイムスロットであり得る。
【０００９】
図１は、本発明の例示的な実施形態にしたがう、グローバル システム フォー モバイルコミュニケーション（Global System for Mobile Communication, GSM）の通信システム100のブロック図である。“例示的（exemplary）”という用語は、本明細書において、“例、事例、または実例としての役割を果たす”ことを意味するために使用されている。したがって、本明細書に“例示的”と記載されている実施形態は、他の実施形態よりも好ましいまたは好都合であると、必ずしも解釈されると限らない。基地局104の配置は、１つ以上のアクセス端末102に通信サービスを提供する。簡潔にするために、図１には、１つの基地局104と１つのアクセス端末102とが示されている。ＧＳＭ通信システム100は、ＧＳＭおよびＧＳＭ ＥＤＧＥ(enhanced data for global evolution)無線アクセスネットワーク(GSM EDGE radio access network, GERAN）標準にしたがって動作する。例示的な実施形態において、ＧＳＭシステム100は、１２個のマルチスロット クラスに定義されたアクセス端末に音声またはデータ、あるいはこの両者の通信サービスを提供することができる。マルチスロット クラスは、１フレーム当たりに多数のタイムスロットを送信／受信および処理するアクセス端末の能力を示す。既に記載したように、現在のＧＥＲＡＮ標準は、ＤＴＭと高いマルチショットクラス(High Multi-shot class)とが組み合わされる多くの状況に対して曖昧である。ダウンリンク信号が、基地局104からアクセス端末102へ、ダウンリンク無線チャネル110を介して送信され、アップリンク信号が、アクセス端末からアップリンク無線チャネル112を介して送信されるとき、制御および情報信号が、基地局104とアクセス端末102との間で無線送信される。
【００１０】
アクセス端末102内のトランシーバ106は、ＧＳＭ標準にしたがって、電磁信号をアンテナを介して送受信する。したがって、トランシーバ106は、信号を変調し、復調し、フィルタにかけ、他の処理をし、アクセス端末102と基地局104との間の通信を可能にする。アクセス端末102内の制御装置108は、トランシーバ106を制御し、さらに、他の機能、例えば、アクセス端末102の全体的な機能の管理を行う。制御装置108は、プロセッサ、マイクロプロセッサ、プロセッサ構成（processor arrangement）、コンピュータ、論理ゲート、特定用途向け集積回路（application specific integrated circuit, ASIC）、プログラマブル論理回路、および／または計算回路の任意の組合せである。制御装置108は、他のハードウェア、例えば、ディジタル対アナログ(digital to analog, D/A)回路を含むこともある。制御装置108上で実行されるソフトウェアは、本明細書に記載されている機能、計算、他のデバイスの管理、および通信タスクを行う。
【００１１】
例示的な実施形態において、アクセス端末102は、アクセス端末102の機能を助け、行うための図１に示されていない他のハードウェア、ソフトウェア、およびファームウェアを含む。例えば、アクセス端末102は、入出力デバイス、例えば、キーパッド、ディスプレイ、マイクロホン、およびスピーカを含む。さらに、アクセス端末102のブロックの機能および動作は、任意の数のデバイス、回路、または素子において実施され得る。機能ブロックの２つ以上が、１つのデバイスに統合され、任意の１つのデバイスにおいて行われると記載されている機能が、幾つかのデバイス上で実施され得る。例えば、制御装置108の一部は、幾つかの環境において、トランシーバ106の機能の幾つかを行い得る。
【００１２】
図２は、ＧＳＭ通信標準にしたがう、ＴＤＭＡダウンリンク フレーム202およびＴＤＭＡアップリンク フレームのブロック図である。ＴＤＭＡダウンリンク フレームは、ダウンリンク無線通信チャネル110を介して、基地局104から１つ以上のアクセス端末102へ送信される。ＴＤＭＡダウンリンク フレームは、８個のダウンリンク タイムスロット(210ないし217)、すなわち、ダウンリンク タイムスロット（０）210、ダウンリンク タイムスロット（１）211、ダウンリンク タイムスロット（２）212、ダウンリンク タイムスロット（３）213、ダウンリンク タイムスロット（４）214、ダウンリンク タイムスロット（５）215、ダウンリンク タイムスロット（６）216、ダウンリンク タイムスロット（７）217を含んでいる。一連のダウンリンク フレームが、基地局104から送信される。したがって、図２には、１つのフレーム部分のみのダウンリンクの一連のダウンリンクタイムスロットが示されている。アップリンクＴＤＭＡフレーム204は、８個のアップリンク タイムスロット(220ないし227)、すなわち、アップリンク タイムスロット（０）220、アップリンク タイムスロット（１）221、アップリンク タイムスロット（２）222、アップリンク タイムスロット（３）223、アップリンク タイムスロット（４）224、アップリンク タイムスロット（５）225、アップリンク タイムスロット（６）226、アップリンク タイムスロット（７）227を含んでいる。アップリンクＴＤＭＡフレーム204は、アクセス端末102からアップリンク無線チャネル112を介して送信される。アクセス端末102は、半二重技術にしたがって動作するので、アップリンクＴＤＭＡフレーム204は、ダウンリンクＴＤＭＡフレーム202からオフセットして送信される。図２において、オフセットは、３つのタイムスロットとして示されている。したがって、例示的なブロック図において、アップリンクＴＤＭＡフレーム204の第１のアップリンク タイムスロット(アップリンク タイムスロット(０))220は、ダウンリンク タイムスロット(３)213と一致する（coincide）。アップリンク フレーム204とダウンリンク フレーム202とは、ＧＳＭにおいて３タイムスロット分オフセットしているが、受信から送信への遷移(Ｔｔｂ)206および送信から受信への遷移(Ｔｒａ)208は、異なる位置をもち得る。受信から送信への遷移(Ｔｔｂ)206および送信から受信への遷移(Ｔｒａ)208の間、アクセス端末は、アップリンクまたはダウンリンク タイムスロットを送信も、受信もしない。ＴｔｂおよびＴｒａは、１タイムスロット長をもつように示されているが、遷移206、208は、幾つかの環境では、異なる値をもち得る。
【００１３】
アクセス端末102は、ダウンリンクのパケット データ チャネル（packet data channel, PDCH）をアップリンク状態フラグ（uplink status flag, USF）に対して監視し、アクセス端末102による使用を許可されたアップリンク タイムスロットを識別する。既知のように、ＵＳＦは、アップリンク資源を動的に管理する機構を与える。ダウンリンク タイムスロット内のＵＳＦは、アクセス端末102が、次の無線ブロックの対応するアップリンク タイムスロット上で送信するのを許可されたことを示す。なお、無線ブロックは４フレームに等しい。したがって、ダウンリンク タイムスロット（１）211内のＵＳＦは、アクセス端末が、異なる無線ブロックに属する次のフレーム229のアップリンク タイムスロット（１）228上で送信すべきであることを示す。
【００１４】
例示的な実施形態において、制御装置108上で実行されるソフトウェアは、現在のアップリンク フレーム204内のアロケートされた(許可された)送信アップリンク タイムスロットと、受信から送信への遷移206および送信から受信への遷移208の期間およびオフセットとに基づいて、監視するダウンリンク タイムスロットを判断する。アクセス端末102は、ＰＤＣＨのダウンリンク タイムスロットを、ダウンリンク フレーム202内の第１のダウンリンク タイムスロット（210）から最も大きい番号のダウンリンク タイムスロットまで、ＵＳＦに対して監視する。現在のアップリンク フレーム内の２番目に小さいアップリンク タイムスロットが、回線交換されるタイムスロットでないときは、最も大きい番号のダウンリンク タイムスロットは、対応するアップリンク フレーム上で最も小さい番号の送信タイムスロットよりも１つ大きいタイムスロットである。現在のアップリンク フレーム内の２番目に小さいアップリンク タイムスロットが、回線交換されるタイムスロットであるときは、最も大きい番号のダウンリンク タイムスロットは、対応するアップリンク フレーム上で最も小さい番号の送信タイムスロットである。したがって、現在のアップリンク フレーム内のＢ（Ｘ）＋１のアップリンク タイムスロットが、回線交換されるタイムスロットでないときは、アクセス端末102は、ＰＤＣＨのダウンリンク タイムスロットをＢ（０）からＢ（Ｘ）＋１まで、ＵＳＦに対して監視し、Ｂ（Ｘ）＋１のアップリンク タイムスロットが、回線交換されるタイムスロットであるときは、Ｂ（０）からＢ（Ｘ）まで監視する。なお、Ｂ（０）は、フレーム202、204内の第１のタイムスロット210、220であり、Ｂ（Ｘ）は、フレーム202、204内のタイムスロット210ないし217、220ないし227の１つである。
【００１５】
図３は、例示的な実施形態にしたがって、ＧＳＭ通信システム100において、ダウンリンク タイムスロットをＵＳＦに対して監視する方法のフローチャートである。
【００１６】
ステップ302において、Ｂ（Ｘ）は、最も小さい番号のアップリンク送信タイムスロットに等しく設定される。Ｂ（Ｘ）は、アクセス端末102が現在のアップリンク フレーム204内で送信する最も小さい番号のアップリンク タイムスロットである。したがって、最も小さい番号のアップリンク タイムスロットは、アップリンク送信のためにアロケートされ、許可された現在のアップリンク フレーム204内の最も小さい番号のタイムスロットである。
【００１７】
ステップ304において、現在のアップリンク フレーム204内で２番目に小さいアップリンク タイムスロット、Ｂ（Ｘ）＋１が、回線交換されるタイムスロットであるかどうかを判断する。現在のアップリンク フレーム204内のＢ（Ｘ）＋１のアップリンク タイムスロットが、回線交換されるタイムスロットであるときは、方法はステップ308に続く。そうでないときは、方法はステップ306に続く。
【００１８】
ステップ306において、ＰＤＣＨのダウンリンク タイムスロットのＢ（０）からＢ（Ｘ）＋１までが、ＵＳＦに対して監視される。したがって、ＵＳＦに対して監視される最高の番号のダウンリンク タイムスロット(最も大きいアップリンク送信タイムスロット)は、アクセス端末102によってアップリンク送信に使用される最も小さい番号のアップリンク タイムスロット(２番目に小さいアップリンク タイムスロット)よりも１つ大きいタイムスロットに対応するダウンリンク タイムスロットである。方法はステップ302に戻り、続けて、次のフレーム内のタイムスロットを監視する。
【００１９】
ステップ308において、ＰＤＣＨのダウンリンク タイムスロットのＢ（０）からＢ（Ｘ）までが、ＵＳＦに対して監視される。したがって、ＵＳＦが監視される最高の番号のダウンリンク タイムスロット(最も大きいアップリンク送信タイムスロット)は、アクセス端末102によってアップリンク送信に使用される最も小さい番号のアップリンク タイムスロットである。方法は、ステップ302に戻り、続けて、次のフレームを監視する。
【００２０】
図４は、本発明の例示的な実施形態にしたがう、ＵＳＦモニタ400のブロック図である。例示的な実施形態において、ＵＳＦモニタ400は、アクセス端末102内の制御装置108上で実行される実行可能コード（executable code）を含み、図４に記載されている機能ブロックを実施する。しかしながら、図４に関して記載されている機能ブロックは、ハードウェア、ソフトウェア、および／またはファームウェアの任意の組合せを使用して実施され得る。さらに加えて、図４に記載されているブロックの機能および動作は、任意の数のデバイス、回路、または基礎構造（infrastructure）において実施され得る。機能ブロックの２つ以上が、１つのデバイスに統合され、任意の１つのデバイスにおいて行われると記載されている機能が、幾つかのデバイス、ソフトウェアコード、またはソフトウェアアプリケーション上で実施され得る。
【００２１】
ＵＳＦモニタ400は、アップリンク タイムスロット解析器402、回線交換されるタイムスロット識別子404、およびＰＤＣＨ ＵＳＦ評価器406を含む。アップリンク タイムスロット解析器402は、送信を許可された現在のアップリンク フレーム内の最も小さい番号のアップリンク タイムスロット(Ｂ（Ｘ）)を識別する。回線交換されるタイムスロット識別子404は、現在のアップリンク フレーム204内の何れのアップリンク タイムスロットが、回線交換されるタイムスロットであるかを判断する。ＰＤＣＨ評価器406は、最も小さい番号の許可されたアップリンク タイムスロットと、回線交換されるタイムスロットとに基づいて、監視される最高のダウンリンク タイムスロットを判断する。Ｂ（Ｘ）のアップリンク タイムスロットが、回線交換されるタイムスロットであるときは、ＰＤＣＨ評価器406は、ＰＤＣＨのダウンリンク タイムスロットのＢ（０）からＢ（Ｘ）まで監視し、そうでないときは、Ｂ（０）からＢ（Ｘ）＋１まで監視する。
【００２２】
図５ないし図１５は、タイムスロット構成の１１個の例における、アップリンク フレーム204およびダウンリンク フレーム202のブロック図である。図５ないし１５において、回線交換されるタイムスロットは、黒く塗りつぶされたブロック（solid block）として示されており、アロケートされていない割り当てられたタイムスロット（unallocated assigned timeslot）は、一重斜交平行線ブロック(single crosshatched block)として示されており、アロケートされ割り当てられたタイムスロット（allocated assigned timeslot）は二重斜交平行線ブロック(double crosshatched block)として示されており、割り当てられていないタイムスロットは、白抜きされたブロック（unfilled block）として示されている。ＰＤＣＨがＵＳＦに対して監視されるタイムスロットは、監視マーカ（monitor maker）502を重ねたタイムスロットブロックによって示されている。
【００２３】
図５は、第２のタイムスロット(タイムスロット１)が回線交換されるタイムスロットである第１の例における、アップリンク フレーム204およびダウンリンク フレーム202のブロック図である。第１の例において、アップリンク フレーム204の第１のタイムスロットは、ダウンリンク フレーム202の第４のタイムスロット(タイムスロット３)213と一致し（coincide）、受信から送信への遷移は、ダウンリンク フレーム202の第４のタイムスロット(タイムスロット３)213中に行われる。アクセス端末が対応するアップリンク フレーム中に送信する最も小さい番号のタイムスロットは、第２のタイムスロット(タイムスロット１)221である。したがって、最も小さいアップリンク送信タイムスロット(２番目に小さいアップリンク タイムスロット)よりも１つ大きいタイムスロットは、タイムスロット２ 212(Ｂ（Ｘ）＋１)＝タイムスロット２）である。例示的な監視技術によると、割り当てられたＰＤＣＨのタイムスロットは、最も小さい番号の送信タイムスロットよりも１つ大きいタイムスロットまで監視される。したがって、例示的な実施形態のＵＳＦ監視技術を適用すると、ＵＳＦは、第３のタイムスロット(タイムスロット２)212において監視される。
【００２４】
図６は、第２のタイムスロット(タイムスロット１)が回線交換されるタイムスロットである第２の例における、アップリンク フレーム204およびダウンリンク フレーム202のブロック図である。第２の例において、アップリンク フレーム204の第１のタイムスロットは、ダウンリンク フレーム202の第４のタイムスロット(タイムスロット３)213と一致し、受信から送信への遷移は、ダウンリンク フレーム202の第４のタイムスロット(タイムスロット３)213中に行われる。アクセス端末が対応するアップリンク フレーム中に送信する最も小さい番号のタイムスロットは、第２のタイムスロット(タイムスロット１)221である。したがって、最も小さいアップリンク送信タイムスロットよりも１つ大きいタイムスロット(２番目に小さいアップリンク タイムスロット)は、タイムスロット２ 212(Ｂ（Ｘ）＋１)＝タイムスロット２）である。例示的な監視技術によると、割り当てられたＰＤＣＨのタイムスロットは、最も小さい番号の送信タイムスロットよりも１つ大きいタイムスロットまで監視される。したがって、例示的な実施形態のＵＳＦ監視技術を適用すると、ＵＳＦは、第３のタイムスロット(タイムスロット２)212において監視される。現在のＧＥＲＡＮ標準の要件に照らして、第２の例において第４のダウンリンク タイムスロット(タイムスロット３)213は監視されない。
【００２５】
図７は、第３のタイムスロット（タイムスロット２）212が回線交換されるタイムスロットである第３の例における、アップリンク フレーム204およびダウンリンク フレーム202のブロック図である。第３の例において、アップリンク フレーム204の第１のタイムスロットは、ダウンリンク フレーム202の第４のタイムスロット(タイムスロット３)213と一致し、受信から送信への遷移は、ダウンリンク フレーム202の第４のタイムスロット(タイムスロット３)213中に行われる。アクセス端末が対応するアップリンク フレーム204中に送信する最も小さい番号のタイムスロットは、第２のタイムスロット(タイムスロット１)221である。したがって、最も小さいアップリンク送信タイムスロットよりも１つ大きいタイムスロットは、タイムスロット２ 212(Ｂ（Ｘ）＋１)＝タイムスロット２）である。例示的な監視技術によると、割り当てられたＰＤＣＨのタイムスロットは、そのタイムスロットが、回線交換されるタイムスロットでなければ、最も小さい番号の送信タイムスロットよりも１つ大きいタイムスロットまで監視される。しかしながら、Ｂ（Ｘ）＋１のタイムスロットが、回線交換されるタイムスロットであるので、ＵＳＦが監視される最高のダウンリンクＰＤＣＨタイムスロットは、第２のタイムスロット(タイムスロット１)211ある。したがって、例示的な実施形態のＵＳＦ監視技術を適用すると、ＵＳＦは、第２のタイムスロット(タイムスロット１)211において監視される。
【００２６】
図８は、第３のタイムスロット(タイムスロット２)212が回線交換されるタイムスロットである第４の例における、アップリンク フレーム204およびダウンリンク フレーム202のブロック図である。第４の例において、アップリンク フレーム204の第１のタイムスロットは、ダウンリンク フレーム202の第４のタイムスロット(タイムスロット３)213と一致し、受信から送信への遷移は、ダウンリンク フレーム202の第５のタイムスロット(タイムスロット４)214中に行われる。アクセス端末が対応するアップリンク フレーム204中に送信する最も小さい番号のタイムスロットは、第３のタイムスロット(タイムスロット２)222である。したがって、最も小さいアップリンク送信タイムスロットよりも１つ大きいタイムスロットは、タイムスロット３ 213(Ｂ（Ｘ）＋１)＝タイムスロット３）である。例示的な監視技術によると、割り当てられたＰＤＣＨのタイムスロットは、最も小さい番号の送信タイムスロットよりも１つ大きいタイムスロットまで監視される。したがって、例示的な実施形態のＵＳＦ監視技術を適用すると、ＵＳＦは、第２のタイムスロット(タイムスロット１)および第４のタイムスロット(タイムスロット３)213において監視される。
【００２７】
図９は、第１のタイムスロット(タイムスロット０)210が回線交換されるタイムスロットである第５の例における、アップリンク フレーム204およびダウンリンク フレーム202のブロック図である。第５の例において、アップリンク フレーム204の第１のタイムスロットは、ダウンリンク フレーム202の第４のタイムスロット(タイムスロット３)213と一致し、受信から送信への遷移は、ダウンリンク フレーム202の第３のタイムスロット(タイムスロット２)212中に行われる。アクセス端末が対応するアップリンク フレーム204中に送信する最も小さい番号のタイムスロットは、第１のタイムスロット(タイムスロット０)220である。したがって、最も小さいアップリンク送信タイムスロットよりも１つ大きいタイムスロットは、タイムスロット１ 211(Ｂ（Ｘ）＋１)＝タイムスロット１）である。例示的な監視技術によると、割り当てられたＰＤＣＨのタイムスロットは、最も小さい番号の送信タイムスロットよりも１つ大きいタイムスロットまで監視される。したがって、例示的な実施形態のＵＳＦ監視技術を適用すると、ＵＳＦは、第２のタイムスロット(タイムスロット１)において監視される。
【００２８】
図１０は、第１のタイムスロット(タイムスロット０)210が回線交換されるタイムスロットである第６の例における、アップリンク フレーム204およびダウンリンク フレーム202のブロック図である。第６の例において、アップリンク フレーム204の第１のタイムスロットは、ダウンリンク フレーム202の第４のタイムスロット(タイムスロット３)213と一致し、受信から送信への遷移は、ダウンリンク フレーム202の第３のタイムスロット(タイムスロット２)212中に行われる。アクセス端末が対応するアップリンク フレーム204中に送信する最も小さい番号のタイムスロットは、第１のタイムスロット(タイムスロット０)220である。したがって、最も小さいアップリンク送信タイムスロットよりも１つ大きいタイムスロットは、タイムスロット１ 211(Ｂ（Ｘ）＋１)＝タイムスロット１）である。例示的な監視技術によると、割り当てられたＰＤＣＨのタイムスロットは、最も小さい番号の送信タイムスロットよりも１つ大きいタイムスロットまで監視される。したがって、例示的な実施形態のＵＳＦ監視技術を適用すると、ＵＳＦは、第２のタイムスロット(タイムスロット１)211において監視される。
【００２９】
図１１は、第２のタイムスロット(タイムスロット１)211が回線交換されるタイムスロットである第７の例における、アップリンク フレーム204およびダウンリンク フレーム202のブロック図である。第７の例において、アップリンク フレーム204の第１のタイムスロットは、ダウンリンク フレーム202の第４のタイムスロット(タイムスロット３)213と一致し、受信から送信への遷移は、ダウンリンク フレーム202の第３のタイムスロット(タイムスロット２)212中に行われる。アクセス端末が対応するアップリンク フレーム204中に送信する最も小さい番号のタイムスロットは、第１のタイムスロット(タイムスロット０)220である。最も小さいアップリンク送信タイムスロットよりも１つ大きいタイムスロットは、タイムスロット１ 211(Ｂ（Ｘ）＋１)＝タイムスロット１）である。例示的な監視技術によると、割り当てられたＰＤＣＨのタイムスロットは、そのタイムスロットが、回線交換されるタイムスロットでなければ、最も小さい番号の送信タイムスロットよりも１つ大きいタイムスロットまで監視される。Ｂ（Ｘ）＋１のタイムスロットが、回線交換されるタイムスロットであるので、ＵＳＦが監視される最高のダウンリンクＰＤＣＨのタイムスロットは、第１のタイムスロット(タイムスロット０)210ある。したがって、例示的な実施形態のＵＳＦ監視技術を適用すると、ＵＳＦは、第１のタイムスロット(タイムスロット０)210において監視される。
【００３０】
図１２は、第２のタイムスロット(タイムスロット１)211が回線交換されるタイムスロットである第８の例における、アップリンク フレーム204およびダウンリンク フレーム202のブロック図である。第８の例において、アップリンク フレーム204の第１のタイムスロットは、ダウンリンク フレーム202の第４のタイムスロット(タイムスロット３)213と一致し、受信から送信への遷移は、ダウンリンク フレーム202の第４のタイムスロット(タイムスロット３)213中に行われる。アクセス端末が対応するアップリンク フレーム204中に送信する最も小さい番号のタイムスロットは、第２のタイムスロット(タイムスロット１)221である。したがって、最も小さいアップリンク送信タイムスロットよりも１つ大きいタイムスロットは、タイムスロット２ 212(Ｂ（Ｘ）＋１)＝タイムスロット２）である。例示的な監視技術によると、割り当てられたＰＤＣＨのタイムスロットは、最も小さい番号の送信タイムスロットよりも１つ大きいタイムスロットまで監視される。したがって、例示的な実施形態のＵＳＦ監視技術を適用すると、ＵＳＦは、第１のタイムスロット(タイムスロット０)210および第３のタイムスロット(タイムスロット２)212において監視される。
【００３１】
図１３は、第１のタイムスロット(タイムスロット０)210が回線交換されるタイムスロットである第９の例における、アップリンク フレーム204およびダウンリンク フレーム202のブロック図である。第９の例において、アップリンク フレーム204の第１のタイムスロットは、ダウンリンク フレーム202の第４のタイムスロット(タイムスロット３)213と一致し、受信から送信への遷移は、ダウンリンク フレーム202の第３のタイムスロット(タイムスロット２)212中に行われる。アクセス端末が対応するアップリンク フレーム204中に送信する最も小さい番号のタイムスロットは、第１のタイムスロット(タイムスロット０)220である。したがって、最も小さいアップリンク送信タイムスロットよりも１つ大きいタイムスロットは、タイムスロット１ 211(Ｂ（Ｘ）＋１)＝タイムスロット＃１）である。例示的な監視技術によると、割り当てられたＰＤＣＨのタイムスロットは、最も小さい番号の送信タイムスロットよりも１つ大きいタイムスロットまで監視される。したがって、例示的な実施形態のＵＳＦ監視技術を適用すると、ＵＳＦは、第２のタイムスロット(タイムスロット１)において監視される。
【００３２】
図１４は、第１のタイムスロット(タイムスロット０)210が回線交換されるタイムスロットである第１０の例における、アップリンク フレーム204およびダウンリンク フレーム202のブロック図である。第１０の例において、アップリンク フレーム204の第１のタイムスロットは、ダウンリンク フレーム202の第４のタイムスロット(タイムスロット３)213と一致し、受信から送信への遷移は、ダウンリンク フレーム202の第３のタイムスロット(タイムスロット２)212中に行われる。アクセス端末が対応するアップリンク フレーム204中に送信する最も小さい番号のタイムスロットは、第１のタイムスロット(タイムスロット０)220である。したがって、最も小さいアップリンク送信タイムスロットよりも１つ大きいタイムスロットは、タイムスロット１ 211(Ｂ（Ｘ）＋１)＝タイムスロット＃１）である。例示的な監視技術によると、割り当てられたＰＤＣＨのタイムスロットは、最も小さい番号の送信タイムスロットよりも１つ大きいタイムスロットまで監視される。したがって、例示的な実施形態のＵＳＦ監視技術を適用すると、ＵＳＦは、第２のタイムスロット(タイムスロット１)において監視される。
【００３３】
図１５は、第２のタイムスロット(タイムスロット１)211が回線交換されるタイムスロットである第１１の例における、アップリンク フレーム204およびダウンリンク フレーム202のブロック図である。第１１の例において、アップリンク フレーム204の第１のタイムスロットは、ダウンリンク フレーム202の第４のタイムスロット(タイムスロット３)213と一致し、受信から送信への遷移は、ダウンリンク フレーム202の第４のタイムスロット(タイムスロット３)213中に行われる。アクセス端末が対応するアップリンク フレーム204中に送信する最も小さい番号のタイムスロットは、第２のタイムスロット(タイムスロット１)221である。したがって、最も小さいアップリンク送信タイムスロットよりも１つ大きいタイムスロットは、タイムスロット２ 212(Ｂ（Ｘ）＋１)＝タイムスロット２）である。例示的な監視技術によると、割り当てられたＰＤＣＨのタイムスロットは、最も小さい番号の送信タイムスロットよりも１つ大きいタイムスロットまで監視される。したがって、例示的な実施形態のＵＳＦ監視技術を適用すると、ＵＳＦは、第１のタイムスロット(タイムスロット０)210および第３のタイムスロット(タイムスロット２)212において監視される。
【００３４】
当業者には、情報および信号が、種々の異なる技術および技法の何れかを使用して表わされ得ることが分かるであろう。例えば、上述全体で参照され得るデータ、命令、コマンド、情報、信号、ビット、シンボル、およびチップは、電圧、電流、電磁波、磁界または磁性粒子、光学場または光学粒子、あるいはその任意の組合せによって表わされ得る。
【００３５】
当業者は、本明細書に開示されている実施形態に関連して記載された種々の例示的な論理ブロック、モジュール、回路、およびアルゴリズムのステップが、電子ハードウェア、コンピュータソフトウェア、または両者の組合せとして実施され得ることも分かるであろう。ハードウェアとソフトウェアとのこの互換性を明白に示すために、種々の例示的な構成要素、ブロック、モジュール、回路、およびステップが、それらの機能に関して、上述で概ね記載された。このような機能がハードウェアとして実施されるか、またはソフトウェアとして実施されるかは、システム全体に課された個々の用途および設計の制約に依存する。熟練した技能をもつ者は、各個々の用途のために種々のやり方で、記載された機能を実施し得るが、そのような実施の決定を、本発明の範囲からの逸脱を招くものとして解釈するべきではない。
【００３６】
本明細書において開示された実施形態に関連して記載された種々の例示的な論理ブロック、モジュール、および回路は、汎用プロセッサ、ディジタル信号プロセッサ（digital signal processor, DSP）、特定用途向け集積回路（application specific integrated circuit, ASIC）、フィールド プログラマブル ゲート アレイ（field programmable gate array, FPGA）または他のプログラマブル論理デバイス、ディスクリートなゲートまたはトランジスタ論理、ディスクリートなハードウェア構成要素、あるいは本明細書に記載されている機能を実行するように設計された任意の組合せで実施または実行され得る。汎用プロセッサは、マイクロプロセッサであってもよいが、その代わりに、プロセッサは、従来のプロセッサ、制御装置、マイクロ制御装置、または状態機械であってもよい。プロセッサは、コンピューティングデバイスの組合せ、例えば、ＤＳＰとマイクロプロセッサとの組合せ、複数のマイクロプロセッサ、ＤＳＰのコアと関連する１つ以上のマイクロプロセッサ、または任意の他のこのような構成としても実施され得る。
【００３７】
本明細書に開示されている実施形態に関連して記載された方法またはアルゴリズムのステップは、ハードウェアにおいて、プロセッサによって実行されるソフトウェアモジュールにおいて、または２つの組合せにおいて直接的に具現され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または技術的に知られている記憶媒体の任意の他の形態の中に存在し得る。例示的な記憶媒体はプロセッサに接続されると、プロセッサは記憶媒体から情報を読み出し、かつそこへ情報を書き込みことができる。その代りに、記憶媒体は、プロセッサと一体構成であってもよい。プロセッサおよび記憶媒体は、ＡＳＩＣ内に存在し得る。ＡＳＩＣは、ユーザ端末に存在し得る。その代りに、プロセッサおよび記憶媒体は、ユーザ端末において、ディスクリートな構成要素として存在し得る。
【００３８】
開示された実施形態のこれまでの記述は、当業者が本発明を作成または使用できるようにするために与えられている。これらの実施形態に対する種々の変更は、当業者に容易に明らかになり、本明細書に定められている一般的な原理は、本発明の意図および範囲から逸脱することなく、他の実施形態に適用され得る。したがって、本発明は、本明細書に示されている実施形態に制限されることを意図されず、本明細書に開示されている原理および斬新な特徴に一致する最も幅広い範囲にしたがうことを意図されている。
【図面の簡単な説明】
【００３９】
【図１】本発明の例示的な実施形態にしたがう、基地局と通信するアクセス端末のブロック図。
【図２】例示的なタイムスロット構成にしたがう、アップリンク フレームおよびダウンリンク フレームのブロック図。
【図３】例示的な実施形態にしたがう、ＧＳＭ通信システムにおけるアップリンク状態フラグ(ＵＳＦ)を監視する方法のフローチャート。
【図４】本発明の例示的な実施形態にしたがう、ＵＳＦモニタのブロック図。
【図５】第２のタイムスロット(タイムスロット１)が回線交換されるタイムスロットである第１の例における、アップリンク フレームおよびダウンリンク フレームのブロック図。
【図６】第２のタイムスロット(タイムスロット１)が回線交換されるタイムスロットである第２の例における、アップリンク フレームおよびダウンリンク フレームのブロック図。
【図７】第３のタイムスロット(タイムスロット２)が回線交換されるタイムスロットである第３の例における、アップリンク フレームおよびダウンリンク フレームのブロック図。
【図８】第３のタイムスロット(タイムスロット２)が回線交換されるタイムスロットである第４の例における、アップリンク フレームおよびダウンリンク フレームのブロック図。
【図９】第１のタイムスロット(タイムスロット０)が回線交換されるタイムスロットである第５の例における、アップリンク フレームおよびダウンリンク フレームのブロック図。
【図１０】第１のタイムスロット(タイムスロット０)が回線交換されるタイムスロットである第６の例における、アップリンク フレームおよびダウンリンク フレームのブロック図。
【図１１】第２のタイムスロット(タイムスロット１)が回線交換されるタイムスロットである第７の例における、アップリンク フレームおよびダウンリンク フレームのブロック図。
【図１２】第２のタイムスロット(タイムスロット１)が回線交換されるタイムスロットである第８の例における、アップリンク フレームおよびダウンリンク フレームのブロック図。
【図１３】第１のタイムスロット(タイムスロット０)が回線交換されるタイムスロットである第９の例における、アップリンク フレームおよびダウンリンク フレームのブロック図。
【図１４】第１のタイムスロット(タイムスロット０)が回線交換されるタイムスロットである第１０の例における、アップリンク フレームおよびダウンリンク フレームのブロック図。
【図１５】第２のタイムスロット(タイムスロット１)が回線交換されるタイムスロットである第１１の例における、アップリンク フレームおよびダウンリンク フレームのブロック図。
【符号の説明】
【００４０】
100・・・ＧＳＭ通信システム、102・・・アクセス端末、110・・・ダウンリンク無線チャネル、112・・・アップリンク無線チャネル、202・・・ＴＤＭＡダウンリンク フレーム、204・・・ＴＤＭＡアップリンク フレーム、206・・・受信から送信への遷移、208・・・送信から受信への遷移、210ないし217・・・ダウンリンク タイムスロット、220ないし228・・・アップリンク タイムスロット、229・・・次のフレーム、400・・・ＵＳＦモニタ、502・・・監視マーカ。
【図１】
2008533852.tif 000003
【図２】
2008533852.tif 000004
【図３】
2008533852.tif 000005
【図４】
2008533852.tif 000006
【図５】
2008533852.tif 000007
【図６】
2008533852.tif 000008
【図７】
2008533852.tif 000009
【図８】
2008533852.tif 000010
【図９】
2008533852.tif 000011
【図１０】
2008533852.tif 000012
【図１１】
2008533852.tif 000013
【図１２】
2008533852.tif 000014
【図１３】
2008533852.tif 000015
【図１４】
2008533852.tif 000016
【図１５】
2008533852.tif 000017
【国際調査報告】
2008533852.tif 000018
2008533852.tif 000019
2008533852.tif 000020